(57)【特許請求の範囲】
【請求項１】
建物の開口部に固定して設けられる枠体と、前記枠体内に配設されるとともに前記建物の開口部の両側に固定して配設される２枚の固定窓と、前記２枚の固定窓の間の前記開口部を開閉するように前記枠体に左右方向にスライド移動可能に支持されるとともに、前記固定窓に対して屋内側に配設される２枚の障子と、前記２枚の固定窓の間の前記開口部を開閉するように前記枠体に左右方向にスライド移動可能に支持されるとともに、前記固定窓に対して屋外側に配設される２枚の網戸と、前記網戸の自走を防止するための網戸自走防止機構とを備えてなる網戸付きサッシであって、
前記網戸自走防止機構が、前記２枚の網戸の召し合せ框同士を着脱可能に連結して保持するロック機構と、各網戸の縦框にビスを用いて本体部材が取り付けられ、前記固定窓の縦框に当接して係止されることにより、連結した状態の前記２枚の網戸の左右方向のスライド移動を規制する当接保持機構とを備えて構成されていることを特徴とする網戸付きサッシ。
【請求項２】
請求項１に記載の網戸付きサッシにおいて、
前記本体部材は、前記網戸の縦框に固着される固定部と、該固定部に一端を繋げて突出する突出部と、該突出部の先端から屋内側に突出する戸当り部と、を備え、
前記当接保持機構は、前記本体部材の前記戸当り部を被覆する被覆部材を備えている網戸付きサッシ。
【発明の詳細な説明】
【技術分野】
【０００１】
本発明は、網戸付きサッシに関する。
【背景技術】
【０００２】
従来、建物の開口部に設置されるサッシ（サッシ窓）には、周縁部に枠体を固定し、この枠体内に外障子と内障子をそれぞれ左右方向にスライド移動可能に、且つ互いに屋内外方向に摺動可能に納めてなる引き違いサッシが多用されている。また、外障子のさらに屋外側に左右方向にスライド移動可能に、且つ外障子に対して摺動可能に網戸を設けて構成することが多い。
【０００３】
一方、このような引き違いサッシでは、例えば強風などの外力が作用し勝手に動くおそれがある。
【０００４】
これに対し、網戸の縦框に上下方向にスライド可能に設けられた操作部と、網戸の縦框に設けられ、網戸を閉じた状態で操作部を上下方向にスライド移動させることにより枠体の縦枠に係合（脱離）する係合部とを備えた網戸自走防止機構（ロック部材）を設けて構成したものが実用化されている（例えば、特許文献１参照）。
【０００５】
そして、この引き違いサッシにおいては、操作部を操作して係合部を枠体の縦枠に係合させることで網戸を縦枠に固定することができ、網戸が強風等によって勝手に動いてしまうことを防止することができる。
【先行技術文献】
【特許文献】
【０００６】
【特許文献１】特開２００７−１７７４５８号公報
【発明の概要】
【発明が解決しようとする課題】
【０００７】
一方、両側にはめ殺しのＦＩＸ窓（固定窓）を設け、これらＦＩＸ窓の間の開口部を開閉するように２枚の障子を設けて構成する４枚建ての引き分け窓では、障子やＦＩＸ窓に対して屋外側に網戸が配設されるため、ロック部材の係合部を係合させる部位がなく、上記従来の網戸自走防止機構を適用することができない。
【０００８】
本発明は、上記事情に鑑み、建物の開口部の両側に固定窓を設け、固定窓の間の開口部を開閉するように２枚の障子を設けてなる４枚建ての引き分けサッシ窓であっても、網戸の自走を確実に防止できる網戸付きサッシを提供することを目的とする。
【課題を解決するための手段】
【０００９】
上記の目的を達するために、この発明は以下の手段を提供している。
【００１０】
本発明の網戸付きサッシは、建物の開口部に固定して設けられる枠体と、前記枠体内に配設されるとともに前記建物の開口部の両側に固定して配設される２枚の固定窓と、前記２枚の固定窓の間の前記開口部を開閉するように前記枠体に左右方向にスライド移動可能に支持されるとともに、前記固定窓に対して屋内側に配設される２枚の障子と、前記２枚の固定窓の間の前記開口部を開閉するように前記枠体に左右方向にスライド移動可能に支持されるとともに、前記固定窓に対して屋外側に配設される２枚の網戸と、前記網戸の自走を防止するための網戸自走防止機構とを備えてなる網戸付きサッシであって、前記網戸自走防止機構が、前記２枚の網戸の召し合せ框同士を着脱可能に連結して保持するロック機構と、各網戸の縦框にビスを用いて本体部材が取り付けられ、前記固定窓の縦框に当接して係止されることにより、連結した状態の前記２枚の網戸の左右方向のスライド移動を規制する当接保持機構とを備えて構成されていることを特徴とする。
また、本発明の網戸付きサッシにおいては、前記本体部材が、前記網戸の縦框に固着される固定部と、該固定部に一端を繋げて突出する突出部と、該突出部の先端から屋内側に突出する戸当り部と、を備え、前記当接保持機構は、前記本体部材の前記戸当り部を被覆する被覆部材を備えていることが望ましい。
【発明の効果】
【００１１】
本発明の網戸付きサッシにおいては、ロック機構と当接保持機構からなる網戸自走防止機構を備えることにより、ロック機構によって閉じた状態の２枚の網戸を連結して保持することができる。また、網戸を閉じるとともに、当接保持機構によって網戸の左右方向の移動を規制することができる。
【００１２】
これにより、強風などの外力が作用して網戸が勝手に動くことを防止できる。
【００１３】
そして、本発明の網戸付きサッシにおいては、建物の開口部の両側に固定窓を設け、これら固定窓の間の開口部を開閉するように障子を設けた４枚建ての引き分け窓であっても、網戸自走防止機構によって網戸の自走を確実に防止することが可能になる。
すなわち、従来の網戸自走防止機構（ロック部材）を適用することが困難で、網戸の自走防止手段がなかったサッシ窓に対しても好適に網戸自走防止対策を講じることが可能になる。
【図面の簡単な説明】
【００１４】
【図１】本発明の一実施形態に係る網戸付きサッシを示す正面図である。
【図２】本発明の一実施形態に係る網戸付きサッシ及び網戸自走防止機構（当接保持機構及びロック機構）を示す横断面図であり、障子を閉じた状態を示す図である。
【図３】本発明の一実施形態に係る網戸付きサッシの網戸自走防止機構（当接保持機構）を示す上方側から見た斜視図である。
【図４】本発明の一実施形態に係る網戸付きサッシの網戸自走防止機構（当接保持機構）を示す下方側から見た斜視図である。
【図５】本発明の一実施形態に係る網戸付きサッシの網戸自走防止機構（当接保持機構）を示す正面図である。
【図６】本発明の一実施形態に係る網戸付きサッシの網戸自走防止機構（当接保持機構）を示す側面図である。
【図７】本発明の一実施形態に係る網戸付きサッシの網戸自走防止機構（当接保持機構）の本体部材を示す斜視図である。
【図８】本発明の一実施形態に係る網戸付きサッシの網戸自走防止機構の被覆部材を示す斜視図である。
【発明を実施するための形態】
【００１５】
以下、図１から図８を参照し、本発明の一実施形態に係る網戸付きサッシについて説明する。ここで、本実施形態は、強風などの外力によって網戸が自走することを防止するための網戸自走防止機構を備えた網戸付きサッシに関するものである。
【００１６】
本実施形態の網戸付きサッシ（網戸付きサッシ窓）Ａは、図１に示すように、建物の躯体の開口部１の両側にはめ殺しのＦＩＸ窓（固定窓）２、３を設け、これらＦＩＸ窓２、３の間の開口部１を開閉するように２枚の障子４、５を設け、さらに障子４、５の屋外側（屋内外方向Ｔ１外側）に網戸６、７を設けて構成されている。
【００１７】
また、本実施形態の網戸付きサッシＡは、図１及び図２に示すように、２枚の障子４、５及び２枚の網戸６、７を一本溝やレールに沿って左右にスライド移動して引き分ける引き分け窓であり、且つ２枚の障子（内障子）４、５がＦＩＸ窓（外障子）２、３に対して屋内側でスライド移動する内動引き分け窓として構成されている。
【００１８】
具体的に、本実施形態の網戸付きサッシＡは、建物の開口部１の外周縁に枠体８が固設され、建物の開口部１の両側の枠体８内にＦＩＸ窓２、３が設けられている。また、一対のＦＩＸ窓２、３の間の開口部１を開閉するように、枠体８内に２枚の障子４、５がそれぞれ左右方向Ｔ２にスライド移動可能に納められている。
【００１９】
さらに、本実施形態の障子４、５は、上框と下框と左右の縦框４ａ、５ａからなる方形枠状の框と、框の内部に収められた複層ガラスとを備えて形成されている。なお、框の内部には、単層ガラス、合わせガラスなどの他の形態のものを納めても勿論構わない。
【００２０】
また、障子４、５は、障子４、５の上框に断面凹部形状の案内溝が形成され、枠体８の上枠に形成された上部レールに案内溝を係合させて配設されている。さらに、下框に戸車が収納され、枠体８の下枠に設けられた断面凸状の下部レール上に下框及び戸車を係合させて配設されている。これにより、障子４、５は、枠体８の上部レール及び下部レースに案内されて左右方向Ｔ２にスライド移動可能に設けられている。
【００２１】
本実施形態の網戸６、７は、上框、下框、縦框（一方の縦框）６ａ、７ａ、召し合せ框（他方の縦框）６ｂ、７ｂで方形枠状に形成され、この框の内部に網を張って形成されている。また、網戸６、７の上框には断面凹部形状の案内溝が形成され、枠体８の屋外側に設けられた網戸用上部レールに案内溝を係合させて配設されている。さらに、下框に戸車が収納され、下枠に設けられた断面凸状の網戸用下部レール上に下框及び戸車を係合させて配設されている。これにより、網戸６、７は、網戸用上部レール及び網戸用下部レールに案内されて左右方向Ｔ２にスライド移動可能に設けられ、且つ障子４、５に対して屋外側に配設されるとともに左右方向Ｔ２に摺動可能に配設されている。
なお、障子４、５を納める障子用枠体の屋外側に網戸用枠体を取り付け、この網戸用枠体に網戸６、７をスライド移動可能に指示させるようにしてもよい。
【００２２】
一方、本実施形態の網戸付きサッシＡの網戸自走防止機構１０は、図２に示すように、網戸６、７の縦框６ａ、７ａに取り付けられ、ＦＩＸ窓２、３の縦框２ａ、３ａに係合して網戸６、７の左右方向Ｔ２のスライド移動を規制する当接保持機構１１と、２枚の引き分け形式の網戸６、７の召し合せ框６ｂ、７ｂに設けられ、互いの召し合せ框６ｂ、７ｂを連結して保持（ロック）するためのロック機構１２とを備えて構成されている。
【００２３】
また、本実施形態の当接保持機構１１は、図２、図３から図８に示すように、金属製の本体部材１３と、樹脂製の被覆部材１４とを備えて構成されている。
【００２４】
本体部材１３は、網戸６、７の縦框６ａ、７ａにビス留めなどして固着する固定部１５と、固定部１５に一端を繋げて突出する突出部１６と、突出部１６の先端から屋内側（ＦＩＸ窓２、３側）に突出する戸当り部１７とを備えて形成されている。
【００２５】
被覆部材１４は、本体部材１３の戸当り部１７を被覆するように、戸当り部１７を嵌め込んで一体に取り付けられる。
【００２６】
ロック機構１２は、図２に示すように、一方の網戸６の召し合せ框６ｂの屋内側を向く見付け面、屋外側を向く見付け面にそれぞれ露出し、上下方向にスライド操作可能に一方の網戸６の召し合せ框６ｂに設けられた操作部（屋内側操作部２０、屋外側操作部２３）と、操作部２０、２３に繋がり、一方の網戸６の召し合せ框６ｂの側面（召し合せ面）から左右方向Ｔ２外側に突出する鉤状の係合部２１と、他方の網戸７の召し合せ框７ｂの側面（召し合せ面）に開口形成され、一方の網戸６と他方の網戸７の召し合せ框６ｂ、７ｂを当接させた状態で鉤状の係合部２１を内部に挿通させるための係合孔と、他方の網戸７の召し合せ框７ｂに設けられ、係合部２１が係合する係合受部２２とを備えて構成されている。
なお、このロック機構１２では操作部２０、２３と係合部２１がロック部材を構成している。
【００２７】
そして、上記構成からなる本実施形態の網戸付きサッシＡにおいては、障子４、５と網戸６、７を閉じた状態にすると、２枚の網戸６、７の召し合せ框６ｂ、７ｂ同士が突き合わされ、一方の網戸６に設けられたロック機構１２の係合部２１が他方の網戸７の召し合せ框７ｂの係合孔から内部に挿入される。
【００２８】
この状態で、一方の網戸６の召し合せ框６ｂの見付け面に露出する操作部（屋内側操作部２０あるいは屋外側操作部２３）を上方あるいは下方にスライド移動させると、係合部２１が他方の網戸７の召し合せ框７ｂの係合受部２２に係合する。
【００２９】
これにより、ロック機構１２によって、一方の網戸６と他方の網戸７（一方の網戸６と他方の網戸７の召し合せ框６ｂ、７ｂ同士）が連結した状態で保持される。
【００３０】
また、障子４、５と網戸６、７を閉じた状態にすると、一方の網戸６の縦框６ａに取り付けられた当接保持機構１１の戸当り部１７が一方のＦＩＸ窓２の縦框２ａの左右方向Ｔ２の一方向を向く側面に近接し、この側面と対向配置される。さらに、他方の網戸７の縦框７ａに取り付けられた当接保持機構１１の戸当り部１７が他方のＦＩＸ窓３の縦框３ａの左右方向Ｔ２の他方向を向く側面に近接し、この側面と対向配置される。
【００３１】
そして、ロック機構１２によって一体に保持された一方の網戸６と他方の網戸７が左右方向Ｔ２の一方向に移動しようとすると、他方の網戸７の縦框７ａに取り付けられた当接保持機構１１の戸当り部１７が他方のＦＩＸ窓３の縦框３ａの左右方向Ｔ２の他方向を向く側面に当接する。逆に、一方の網戸６と他方の網戸７が左右方向Ｔ２の他方向に移動しようとすると、一方の網戸６の縦框６ａに取り付けられた当接保持機構１１の戸当り部１７が一方のＦＩＸ窓２の縦框２ａの左右方向Ｔ２の一方向を向く側面に当接する。
【００３２】
これにより、閉じた状態の２枚の網戸６、７がそのスライド移動が規制される。
【００３３】
したがって、本実施形態の網戸付きサッシＡにおいては、ロック機構１２と当接保持機構１１からなる網戸自走防止機構１０を備えることにより、ロック機構１２によって閉じた状態の２枚の網戸６、７を連結して保持することができる。また、網戸６、７を閉じるとともに、当接保持機構１１の戸当り部１７をＦＩＸ窓２、３の縦框２ａ、３ａに近接配置させ、網戸６、７が左右方向Ｔ２にスライド移動するとＦＩＸ窓２、３の縦框２ａ、３ａに戸当り部１７を当接させて、網戸６、７の左右方向Ｔ２の移動を規制することができる。
【００３４】
これにより、強風などの外力が作用して網戸６、７が勝手に動くことがなく、網戸６、７が枠体８から外れることを防止できる。
【００３５】
そして、本実施形態の網戸付きサッシＡにおいては、建物の開口部１の両側にＦＩＸ窓２、３を設け、これらＦＩＸ窓２、３の間の開口部１を開閉するように障子４、５を設けた４枚建ての引き分け窓であっても、本実施形態の網戸自走防止機構１０によって網戸６、７の自走を簡便且つ確実に防止することが可能になる。
すなわち、従来の網戸自走防止機構（ロック部材）を適用することが困難で、網戸の自走防止手段がなかったサッシ窓に対しても好適に網戸自走防止対策を講じることが可能になる。
【００３６】
以上、本発明に係る網戸付きサッシの一実施形態について説明したが、本発明は上記の一実施形態に限定されるものではなく、その趣旨を逸脱しない範囲で適宜変更可能である。
【符号の説明】
【００３７】
１      建物の開口部
２      ＦＩＸ窓（固定窓：外障子）
３      ＦＩＸ窓（固定窓：外障子）
４      障子（内障子）
４ａ    縦框
５      障子（内障子）
５ａ    縦框
６      網戸
６ａ    縦框
６ｂ    召し合い框（縦框）
７      網戸
７ａ    縦框
７ｂ    召し合い框（縦框）
８      枠体
１０    網戸自走防止機構
１１    当接保持機構
１２    ロック機構
１３    本体部材
１４    被覆部材
１５    固定部
１６    突出部
１７    戸当り部
２０    屋内側操作部（操作部）
２１    係合部
２２    係合受部
２３    屋外側操作部（操作部）
Ａ      網戸付きサッシ
Ｔ１    屋内外方向
Ｔ２    左右方向
【図１】
0006423299.tif 000002
【図２】
0006423299.tif 000003
【図３】
0006423299.tif 000004
【図４】
0006423299.tif 000005
【図５】
0006423299.tif 000006
【図６】
0006423299.tif 000007
【図７】
0006423299.tif 000008
【図８】
0006423299.tif 000009